(57)【特許請求の範囲】
【請求項１】
下面に底部嵌合部が形成されている底部と相対する長側壁と相対する短側壁とを有し、また、開口部を取り囲むように前記長側壁と短側壁の上端には、フランジが形成されており、更に、少なくとも相対する長側壁の内壁には、ポケットが形成されているとともに、相対する長側壁の外壁には、ポケットに隣接して、支脚が形成されており、更にまた、フランジに、直線状の凹部を形成することにより、開口部の縁辺に沿って凸状レールが形成されており、なお更に、支脚の下面に、長側壁に沿って溝が形成されているとともに、溝を形成することにより、支脚の外側下端部には、下方に向いた突出部が形成されている運搬容器において、下に位置する運搬容器の長側壁に平行な中心線と、上に位置する運搬容器の長側壁に平行な中心線とが、同一仮想垂直面上に位置するように、上に位置する運搬容器の底部の底部嵌合部が、下に位置する運搬容器の開口部に嵌合されるとともに、上に位置する運搬容器の支脚の突出部が、下に位置する運搬容器のフランジの凹部に挿入され、上に位置する運搬容器の支脚の溝に、下に位置する運搬容器のフランジに形成された凸状レールが挿入された際に、下に位置する運搬容器の長側壁の内壁面と上に位置する運搬容器の支脚との間のガタＮと、上に位置する運搬容器の支脚の突出部と下に位置する運搬容器のフランジの凸状レールとの間のガタＭとの関係を、Ｎ≦Ｍとしたことを特徴とする運搬容器。
【請求項２】
下に位置する運搬容器のフランジの凹部を構成するフランジの外周縁側の垂直壁と上に位置する運搬容器の長側壁に配設された支脚との間のガタＬと、下に位置する運搬容器の長側壁の内壁面と上に位置する運搬容器の支脚との間のガタＮとの関係を、Ｎ≦Ｌとしたことを特徴とする請求項１に記載の運搬容器。
【発明の詳細な説明】
【０００１】
【発明の属する技術分野】
本発明は、空の運搬容器（以下、運搬容器を、単に、「容器」ともいう。）を積み重ねる際には、上に位置する容器が、下に位置する容器に嵌め込まれ、所謂、ネスティングされ、また、内容物が収納された容器を積み重ねる際には、上に位置する容器が、下に位置する容器に嵌め込まれないように積み重ねるられる、所謂、スタッキングされることが可能な容器に関するものである。
【０００２】
【従来の技術】
以下に、図３〜図６を用いて、従来の運搬容器について説明する。
【０００３】
容器は、底部１、外側にやや傾斜した相対する長側壁２ａ、２ｂ及び同じく外側にやや傾斜した相対する短側壁２ｃ、２ｄとから構成されている。また、底部１の下面には、容器をスタッキングした際に、下に位置する容器の開口部に嵌合される底部嵌合部１ａが形成されてる。なお、長側壁２ａ、２ｂ及び短側壁２ｃ、２ｄに関係なく、側壁、一般について言及する場合には、単に、側壁２と称する。
【０００４】
３は、容器の開口部を取り囲むように、長側壁２ａ、２ｂ及び短側壁２ｃ、２ｄの上端に形成された水平状のフランジ３である。長側壁２ａ、２ｂに沿ったフランジ３には、直線状に凹部３ａが形成されており、直線状の凹部３ａを形成することにより、容器の開口部の縁辺に沿って、フランジ３には、凸状レール３ｂが形成される。なお、側壁２の外壁には、必要に応じて、水平リブ４ａや垂直リブ４ｂが形成されている。
【０００５】
５は、フランジ３から底部１に向かって、側壁２の隅部寄りの内壁に形成された縦長の凹部からなるポケットであり、容器の略半分の深さを有している。６は、ポケット５に隣接して或いはポケット５と適当な間隙を置いて、ポケット５より中央部寄りの側壁２の外壁に形成された支脚であり、支脚６は底部１付近まで延びるように形成されている。支脚６は、所定の間隔を置いて側壁２に突設された垂直リブ６ａ、６ｂと垂直リブ６ａ、６ｂの下端部を連結する水平リブ６ｃとを有している。そして、水平リブ６ｃの下面には、側壁２に沿って溝６ｄが形成されており、従って、支脚６の外側下端部には、下方に向いた突出部６ｅが形成されている。容器をスタッキング状態に段積みした際には、下に位置する容器のフランジ３の凹部３ａには、上に位置する容器の支脚６の突出部６ｅが挿入され、また、上に位置する容器の支脚６の溝６ｄには、下に位置する容器のフランジ３の凸状レール３ｂが挿入されるように構成されている。上記のポケット５の内幅は、上記の支脚６の外幅より大きく形成されている。以下、このような、幅広のポケット５と幅狭の支脚６との組み合わせを幅広ポケット・支脚部Ｐと称する。
【０００６】
７は、側壁２の隅部寄りの外壁に形成された、上述した幅狭の支脚６と同様の支脚である。支脚７は、所定の間隔を置いて側壁２に突設された垂直リブ７ａ、７ｂと垂直リブ７ａ、７ｂの下端部を連結する水平リブ７ｃとにより形成されている。そして、水平リブ７ｃの下面には、側壁２に沿って溝７ｄが形成されており、従って、支脚７の外側下端部には、下方に向いた突出部７ｅが形成されている。上述したと同様に、容器をスタッキング状態に段積みした際には、下に位置する容器のフランジ３の凹部３ａには、上に位置する容器の支脚７の突出部７ｅが挿入され、また、上に位置する容器の支脚７の溝７ｄには、下に位置する容器のフランジ３の凸状レール３ｂが挿入されるように構成されている。８は、支脚７に隣接して或いは支脚７と適当な間隙を置いて、支脚７より中央部寄りの側壁２の内壁に形成された縦長の凹部からなるポケットであり、容器の略半分の深さを有している。上記の支脚７の外幅は、上記のポケット８の内幅より大きく形成されている。以下、このような、幅広の支脚７と幅狭のポケット８との組み合わせを幅広支脚・ポケット部Ｃと称する。
【０００７】
幅広ポケット・支脚部Ｐの幅狭の支脚６の外幅は、幅広支脚・ポケット部Ｃの幅狭のポケット８の内幅より狭く形成されており、従って、ネスティングの際には、幅広ポケット・支脚部Ｐの幅狭の支脚６が、幅広支脚・ポケット部Ｃの幅狭のポケット８に挿入できるように構成されている。また、幅広支脚・ポケット部Ｃの幅広の支脚７の外幅は、幅広ポケット・支脚部Ｐの幅広ポケット５の内幅より狭く形成されており、従って、ネスティングの際には、幅広支脚・ポケット部Ｃの幅広の支脚７が、幅広ポケット・支脚部Ｐの幅広ポケット５に挿入できるように構成されている。
【０００８】
図３〜図６には、上述した幅広ポケット・支脚部Ｐが、相対する長側壁２ａ、２ｂの一方の隅部付近に、互いに対向して配置されており、また、相対する長側壁２ａ、２ｂのもう一方の隅部付近には、互いに対向するように、幅広支脚・ポケット部Ｃが配置されている例が示されている。また、相対する短側壁２ｃ、２ｄの上記相対する長側壁２ａ、２ｂに配置された幅広ポケット・支脚部Ｐに近い方の短側壁２ｃの隅部付近には、幅広支脚・ポケット部Ｃが配置されており、また、相対する短側壁２ｃ、２ｄの上記相対する長側壁２ａ、２ｂに配置された幅広支脚・ポケット部Ｃに近い方の短側壁２ｄの隅部付近には、幅広ポケット・支脚部Ｐが配置されている。なお、一方の長側壁２ａの両隅部付近に、それぞれ、幅広ポケット・支脚部Ｐを配置し、もう一方の長側壁２ｂの両隅部付近に、それぞれ、幅広支脚・ポケット部Ｃを配置することもできる。
【０００９】
下に位置する容器と上に位置する容器とが、同じ向きになるように、即ち、下に位置する容器の幅広ポケット・支脚部Ｐの上方に、上に位置する容器の幅広ポケット・支脚部Ｐが位置し、また、下に位置する容器の幅広支脚・ポケット部Ｃの上方に、上に位置する容器の幅広支脚・ポケット部Ｃが位置するように、容器を積み重ねると、上に位置する容器の合計８本の支脚６、７が、それぞれ、下に位置する容器のポケット５、８に隣接するフランジ３に載置されるので、下に位置する容器の上に、上に位置する容器がスタッキングされることになる。
【００１０】
また、スタッキング状態から、上に位置する容器を、平面的に、１８０度回転させて、下に位置する容器と上に位置する容器とが、異なる向きになるように、即ち、下に位置する容器の幅広ポケット・支脚部Ｐの上方に、上に位置する容器の幅広支脚・ポケット部Ｃが位置し、また、下に位置する容器の幅広支脚・ポケット部Ｃの上方に、上に位置する容器の幅広ポケット・支脚部Ｐが位置するように配置すると、下に位置する容器の幅広ポケット・支脚部Ｐのポケット５に、上に位置する容器の幅広支脚・ポケット部Ｃの支脚７が、また、下に位置する幅広支脚・ポケット部Ｃのポケット８に、上に位置する幅広ポケット・支脚部Ｐの支脚６が、それぞれ挿入されることになり、従って、上に位置する容器の略半分が、下に位置する容器の内部に嵌め込まれてネスティングされることになる。
【００１１】
次に、主として、図６を用いて、上に位置する容器Ｂｕを、下に位置する容器Ｂｂのフランジ３に沿ってスライドさせながらスタッキングする、所謂、スライドスタッキングについて説明する。
【００１２】
上に位置する容器Ｂｕの一方の短側壁２ｄを持ち上げて、長側壁２ａ、２ｂの短側壁２ｃ側に位置する幅広ポケット・支脚部Ｐの支脚６が、下に位置する容器Ｂｂの長側壁２ａ、２ｂ側のフランジ３の中程に位置するように、上に位置する容器Ｂｕを、下に位置する容器Ｂｂのフランジ３に載置する。この際、上に位置する容器Ｂｕの底部１の下面に形成された底部嵌合部１ａが、下に位置する容器Ｂｂの開口部に嵌合されるとともに、上に位置する容器Ｂｕの支脚６の突出部６ｅが、下に位置する容器Ｂｂのフランジ３の凹部３ａに挿入され、上に位置する容器Ｂｕの支脚６の溝６ｄに、下に位置する容器Ｂｂのフランジ３の凸状レール３ｂが挿入される。
【００１３】
次いで、上に位置する容器Ｂｕの一方の短側壁２ｄを持ち上げたまま、或いは、上に位置する容器Ｂｕの短側壁２ｄ側の底部１の底部嵌合部１ａを、下に位置する容器Ｂｂのフランジ３に載置した状態で、上に位置する容器Ｂｕを、下に位置する容器Ｂｂの長側壁２ａ、２ｂ側のフランジ３に沿ってスライドさせるが、上に位置する容器Ｂｕの支脚６の突出部６ｅは、下に位置する容器Ｂｂのフランジ３の凹部３ａに挿入され、上に位置する容器Ｂｕの支脚６の溝６ｄには、下に位置する容器Ｂｂのフランジ３の凸状レール３ｂが挿入された状態で、スライドスタッキングされることになる。
【００１４】
【発明が解決しようとする課題】
上述した容器においては、スライドスタッキングの際に、上に位置する容器Ｂｕの底部１の底部嵌合部１ａが、下に位置する容器Ｂｂの開口部に容易に嵌合できるように、下に位置する容器Ｂｂの側壁２の内壁面と、上に位置する容器Ｂｕの底部１の底部嵌合部１ａの外周壁面との間には、間隙、即ち、嵌合ガタが存在するように構成されている。このような嵌合ガタがあるために、スライドスタッキングの際に、上に位置する容器Ｂｕの底部１の底部嵌合部１ａが、下に位置する容器Ｂｂの相対する長側壁２ａ、２ｂの何れか一方の長側壁、例えば、長側壁２ａ側に偏って載置された場合には、上に位置する容器Ｂｕの長側壁２ｂ側の支脚６の突出部６ｅが、下に位置する容器Ｂｂのフランジ３の凹部３ａに挿入されずに、フランジ３の上面に載置されたり、或いは、上に位置する容器Ｂｕの長側壁２ｂ側の支脚６の突出部６ｅが、下に位置する容器Ｂｂのフランジ３の凸状レール３ｂの上面に載置され、上に位置する容器Ｂｕが傾くとともに、上に位置する容器Ｂｕが、スライド方向に対して横方向に移動し、確実で、安定したスライドスタッキングができないという問題があった。容器自体に、寸法バラツキや変形等がある場合が多いので、上記の問題は、更に深刻になる。
【００１５】
本発明の目的は、上述した従来の運搬容器が有する課題を解決するとともに、作業性の向上した運搬容器を提供することにある。
【００１６】
【課題を解決するための手段】
本発明は、上述した目的を達成するために、下面に底部嵌合部が形成されている底部と相対する長側壁と相対する短側壁とを有し、また、開口部を取り囲むように前記長側壁と短側壁の上端には、フランジが形成されており、更に、少なくとも相対する長側壁の内壁には、ポケットが形成されているとともに、相対する長側壁の外壁には、ポケットに隣接して、支脚が形成されており、更にまた、フランジに、直線状の凹部を形成することにより、開口部の縁辺に沿って凸状レールが形成されており、なお更に、支脚の下面に、長側壁に沿って溝が形成されているとともに、溝を形成することにより、支脚の外側下端部には、下方に向いた突出部が形成されている運搬容器において、第１には、下に位置する運搬容器の長側壁に平行な中心線と、上に位置する運搬容器の長側壁に平行な中心線とが、同一仮想垂直面上に位置するように、上に位置する運搬容器の底部の底部嵌合部が、下に位置する運搬容器の開口部に嵌合されるとともに、上に位置する運搬容器の支脚の突出部が、下に位置する運搬容器のフランジの凹部に挿入され、上に位置する運搬容器の支脚の溝に、下に位置する運搬容器のフランジに形成された凸状レールが挿入された際に、下に位置する運搬容器の長側壁の内壁面と上に位置する運搬容器の支脚との間のガタＮと、上に位置する運搬容器の支脚の突出部と下に位置する運搬容器のフランジの凸状レールとの間のガタＭとの関係を、Ｎ≦Ｍとしたものであり、第２には、下に位置する運搬容器のフランジの凹部を構成するフランジの外周縁側の垂直壁と上に位置する運搬容器の長側壁に配設された支脚との間のガタＬと、下に位置する運搬容器の長側壁の内壁面と上に位置する運搬容器の支脚との間のガタＮとの関係を、Ｎ≦Ｌとしたものである。
【００１７】
【実施例】
上述したように、スライドスタッキングするために、図６に示されているように、上に位置する容器Ｂｕの支脚６の突出部６ｅを、下に位置する容器Ｂｂのフランジ３の凹部３ａに挿入するとともに、上に位置する容器Ｂｕの支脚６の溝６ｄに、下に位置する容器Ｂｂのフランジ３の凸状レール３ｂを挿入するが、図１には、上記支脚６付近の短側壁２ｃ、２ｄに平行な部分拡大垂直断面が示されており、図２には、支脚６付近の短側壁２ｃ、２ｄに平行な垂直断面が示されている。この図１及び図２を用いて、本発明の実施例について説明するが、本発明の趣旨を越えない限り何ら、本実施例に限定されるものではない。なお、運搬容器を構成する底部１、長側壁２ａ、２ｂ、短側壁２ｃ、２ｄ、フランジ３、ポケット５、８、支脚６、７等の構成部材については、上述した従来の運搬容器と同じであるので、それらの詳細な説明は省略するとともに、同じ符号が使用されている。
【００１８】
従来の技術において説明したように、上に位置する容器Ｂｕの一方の短側壁２ｄを持ち上げて、長側壁２ａ、２ｂの短側壁２ｃ側に位置する幅広ポケット・支脚部Ｐの支脚６が、下に位置する容器Ｂｂの長側壁２ａ、２ｂ側のフランジ３の中程に位置するように、上に位置する容器Ｂｕを、下に位置する容器Ｂｂのフランジ３に載置する。この際、上に位置する容器Ｂｕの底部１の下面に形成された底部嵌合部１ａが、下に位置する容器Ｂｂの開口部に嵌合されるとともに、上に位置する容器Ｂｕの支脚６の突出部６ｅが、下に位置する容器Ｂｂのフランジ３の凹部３ａに挿入され、上に位置する容器Ｂｕの支脚６の溝６ｄに凸状レール３ｂが挿入される。
【００１９】
本発明においては、下に位置する容器Ｂｂの長側壁２ａ、２ｂに平行な中心線Ｘ（図４を参照のこと）と、上に位置する容器Ｂｕの長側壁２ａ、２ｂに平行な中心線Ｘとが、同一仮想垂直面上に位置するように、上に位置する容器Ｂｕの底部１の底部嵌合部１ａが、下に位置する容器Ｂｂの開口部に嵌合されるとともに、上に位置する容器Ｂｕの支脚６の突出部６ｅが、下に位置する容器Ｂｂのフランジ３の凹部３ａに挿入され、上に位置する容器Ｂｕの支脚６の溝６ｄに、下に位置する容器Ｂｂのフランジ３の凸状レール３ｂが挿入された際に、下に位置する容器Ｂｂの長側壁２ａ、２ｂの内壁面２ａ’、２ｂ’と上に位置する容器Ｂｕの支脚６との間のガタＮと、上に位置する容器Ｂｕの支脚６の突出部６ｅと下に位置する容器Ｂｂのフランジ３の凸状レール３ｂとの間のガタＭとの関係を、Ｎ≦Ｍとしたものである。
【００２０】
上述したように、下に位置する容器Ｂｂの長側壁２ａ、２ｂの内壁面２ａ’、２ｂ’と上に位置する容器Ｂｕの支脚６との間のガタＮと、上に位置する容器Ｂｕの支脚６の突出部６ｅと下に位置する容器Ｂｂのフランジ３の凸状レール３ｂとの間のガタＭとの関係を、Ｎ≦Ｍとしたことにより、図１及び図２において、例えば、上に位置する容器Ｂｕの長側壁２ａに配設された支脚６が、下に位置する容器Ｂｂの長側壁２ａの内壁面２ａ’に接触するように、右方向に偏っていても、上に位置する容器Ｂｕの長側壁２ｂに配設された支脚６が、下に位置する容器Ｂｂのフランジ３の凸状レール３ｂに載置されるようなことがなく、従って、上に位置する容器Ｂｕが傾くようなことがなく、迅速で、安定したスライドスタッキングを行うことができる。
【００２１】
また、下に位置する容器Ｂｂの長側壁２ａ、２ｂに平行な中心線Ｘと、上に位置する容器Ｂｕの長側壁２ａ、２ｂに平行な中心線Ｘとが、同一仮想垂直面上に位置するように、下に位置する容器Ｂｂのフランジ３に、上に位置する容器Ｂｕを載置した際に、好ましくは、下に位置する容器Ｂｂのフランジ３の凹部３ａを構成するフランジ３の外周縁３’側の垂直壁３ａ’と上に位置する容器Ｂｕの長側壁２ａ、２ｂに配設された支脚６との間のガタＬと、上述した下に位置する容器Ｂｂの長側壁２ａ、２ｂの内壁面２ａ’、２ｂ’と上に位置する容器Ｂｕの支脚６との間のガタＮとの関係を、Ｎ≦Ｌとする。このように構成することにより、図１及び図２において、上に位置する容器Ｂｕの長側壁２ｂに配設された支脚６が、下に位置する容器Ｂｂの長側壁２ｂの内壁面２ｂ’に接触しても、上に位置する容器Ｂｕの長側壁２ｂに配設された支脚６突出部６ｅが、下に位置する容器Ｂｂのフランジ３の上面に載置されるようなことが防止でき、より迅速で、安定したスライドスタッキングを行うことができる。
【００２２】
本発明の構成は、上述した構造の運搬容器に限定されるものではなく、上述した構成を有する上に位置する容器の支脚が、上述した構成を有する下に位置する容器のフランジに上に載置されてスライドスタッキングすることができる全ての運搬容器に適用できるものである。
【００２３】
【発明の効果】
本発明は、以上説明したような構成を有するので、以下に記載する効果を奏するものである。
【００２４】
スライドスタッキングの際に、上に位置する容器の底部嵌合部を、容易に、下に位置する容器の開口部に嵌合することができるとともに、上に位置する容器が傾くようなことがなく、迅速で、安定したスライドスタッキングを行うことができる。
【００２５】
容器自体に、寸法バラツキや変形等がある場合でも、上に位置する容器の底部嵌合部を、容易に、下に位置する容器の開口部に嵌合することができる。
【００２６】
上に位置する容器の底部嵌合部を、下に位置する容器の開口部に嵌合するだけの作業で、上に位置する容器の支脚が、下に位置する容器のフランジの凸状レールに載置されるようなことがなく、従って、迅速で、安定したスライドスタッキングを行うことができる。
【図面の簡単な説明】
【図１】図１は本発明の運搬容器の支脚付近の短側壁に平行な部分拡大垂直断面図である。
【図２】図２は本発明の運搬容器の支脚付近の短側壁に平行な垂直断面図である。
【図３】図３は従来の運搬容器の斜視図である。
【図４】図４は従来の運搬容器の平面図である。
【図５】図５は従来の運搬容器の正面図である。
【図６】図６は従来の運搬容器のスライドスタッキング工程を説明するための斜視図である。
【符号の説明】
Ｃ・・・・・・・・幅広支脚・ポケット部
Ｐ・・・・・・・・幅広ポケット・支脚部
１・・・・・・・・底部
２・・・・・・・・側壁
２ａ、２ｂ・・・・長側壁
２ｃ、２ｄ・・・・短側壁
３・・・・・・・・フランジ
３ｂ・・・・・・・凸状レール
５、８・・・・・・ポケット
６、７・・・・・・支脚
６ｅ、７ｅ・・・・突出部
【図１】
0003986693.tif 000002
【図２】
0003986693.tif 000003
【図３】
0003986693.tif 000004
【図４】
0003986693.tif 000005
【図５】
0003986693.tif 000006
【図６】
0003986693.tif 000007